(57)【特許請求の範囲】
【請求項１】
受信した波長多重光を光減衰する光減衰部と、光コードを介して前記光減衰部から受信した波長多重光を光合分波する光合分波部とを備えたノード装置において、
前記光コードの前段で波長多重光の光レベルを検出する出力レベル検出部と、
前記光コードの後段で波長多重光の光レベルを検出する入力レベル検出部と、
前記出力レベル検出部により検出された光レベルと、前記入力レベル検出部により検出された光レベルとに基づいて、前記光コードによる光レベルの損失量の異常判定を行う判定部と、
前記判定部による異常判定結果に基づいて、前記光合分波部により分波され透過する信号光が当該光合分波部から下流に送信されない光レベルとなるように、前記光減衰部の光減衰量を制御する制御部と
を備えたことを特徴とするノード装置。
【請求項２】
前記光減衰部から受信した波長多重光を光増幅して前記光コードを介して前記光合分波部に送信する光増幅部をさらに備え、
前記制御部は、前記判定部による異常判定結果に基づき、前記光合分波部により分波され透過する信号光が当該光合分波部から下流に送信されない光レベルとなるように、前記光増幅部の光増幅量および／または前記光減衰部の光減衰量を制御する
ことを特徴とする請求項１記載のノード装置。
【請求項３】
受信した波長多重光を光増幅する光増幅部と、光コードを介して前記光増幅部から受信した波長多重光を光合分波する光合分波部とを備えたノード装置において、
前記光コードの前段で波長多重光の光レベルを検出する出力レベル検出部と、
前記光コードの後段で波長多重光の光レベルを検出する入力レベル検出部と、
前記出力レベル検出部により検出された光レベルと、前記入力レベル検出部により検出された光レベルとに基づいて、前記光コードによる光レベルの損失量の異常判定を行う判定部と、
前記判定部による異常判定結果に基づいて、前記光合分波部により分波され透過する信号光を、当該光合分波部から下流に送信されない光レベルとなるように光減衰する前記光合分波部の光減衰量を制御する制御部と
を備えたことを特徴とするノード装置。
【請求項４】
受信した波長多重光を光減衰する光減衰部と、光コードを介して前記光減衰部から受信した波長多重光を光合分波する光合分波部とを備えたノード装置において、
前記光コードの前段で波長多重光の光レベルを検出する出力レベル検出部と、
前記光コードの前段で前記光コードが接続される出力コネクタからの反射光レベルを検出する反射レベル検出部と、
前記出力レベル検出部により検出された光レベルと前記反射レベル検出部により検出された反射光レベルとに基づいて、前記光コードの接続状態の異常判定を行う判定部と、
前記判定部による異常判定結果に基づいて、前記光減衰部の光減衰量を制御する制御部と
を備えたことを特徴とするノード装置。
【請求項５】
前記光減衰部から受信した波長多重光を光増幅して前記光コードを介して前記光合分波部に送信する光増幅部をさらに備え、
前記制御部は、前記判定部による異常判定結果に基づき、前記光増幅部の光増幅量および／または前記光減衰部の光減衰量を制御する
ことを特徴とする請求項４記載のノード装置。
【請求項６】
受信した波長多重光を光減衰する光減衰部と、
前記光減衰部から光コードを介して受信した波長多重光を光合分波する光合分波部と、
前記光コードの異常を判定する判定部と、
前記判定部による異常判定結果に基づいて、前記光合分波部により分波され透過する信号光が当該光合分波部から下流に送信されない光レベルとなるように、前記光減衰部の光減衰量または光減衰する前記光合分波部の光減衰量を制御する制御部と
を備えたことを特徴とするノード装置。
【発明の詳細な説明】
【技術分野】
【０００１】
この発明は、波長多重光を伝送し、かつ合分波する機能を有するノード装置において、ノード装置内のコネクタに嵌合不良が発生した場合でもサービス波長に影響を与えないノード装置に関するものである。
【背景技術】
【０００２】
複数のノード装置が接続された波長多重伝送システムは、波長多重分割方式（Wavelength Division Multiplexing）を用いて、複数の波長に割り当てられた信号光を波長多重化し、１本のファイバ中に伝送する信号伝送容量を増大させる光伝送通信システムである。【０００３】
この波長多重分割方式は、異なる波長の信号光が独立して存在できることを応用した通信方式であり、波長多重化する波長数を増やすことで、容易に伝送容量を増大することが可能である。また、他の波長に影響を与えることなく特定の波長を合分波することが可能である。【０００４】
さらに、光伝送技術や光デバイスの研究、開発により、ＥＤＦＡ（Erubium-Doped Fiber Amplifier）に代表されるような電気変換を必要とせず、波長多重光のまま広帯域かつ高利得で光増幅することが可能な光増幅技術や、アレイ導波路格子（ＡＷＧ：Arrayed−Waveguide Grating）に代表されるような高多重数かつ低損失な波長合分波デバイスにより、長距離伝送や波長多重数増大を実現している。【０００５】
この波長多重伝送システムは、伝送路や各種光デバイスによる光レベルの損失を補償する光増幅機能部と、波長の合分波を行う波長合分波機能部と、下流装置から受信する信号を波長多重伝送システムで割り当てられた波長の信号光に変換して波長合分波機能部に送信する機能、および波長合分波機能部から分波された信号光を受信して下流装置用の信号に変換して、下流装置に送信する機能を有するトランスポンダ機能部と、各機能部を監視する監視制御部とから構成されている。【０００６】
また、ネットワークの複雑化に伴い、波長多重伝送システムへの要求は高度化し、ファイバ中の分散による信号劣化を抑制するための分散補償機能部や、遠隔からのネットワークパス変更要求に対応するため、波長合分波機能部で波長の合波（Ａｄｄ）／分波（Ｄｒｏｐ）／透過（Ｔｈｒｏｕｇｈ）を行うスイッチ機能部や、各波長の光レベルを等化するためのＤＧＥ（Dynamic Gain Equalizer）機能部を内包するなどによって対応している。【０００７】
このように構成される波長多重伝送システムでは、各波長に割り当てられた信号光は独立であり、他の波長の信号光の障害等によって障害に関係ない信号光の信号品質に影響が与えられることはないということを前提にして構成されている。【０００８】
しかしながら、波長多重光を一括して増幅する光増幅機能部や波長合分波機能部の障害、ノード装置間を接続する伝送路などで発生する非線形光学効果などの物理現象等は、全波長に影響を与えることがあり、障害に関係ない信号光においても劣化する場合が存在する。そのため、システム設計、構築する上でそれらの信号劣化要因を正しく管理する必要があり、障害等が発生した場合においても障害に関係ない波長の信号光の信号品質に影響を与えないような仕組みが必要である。【０００９】
そこで波長多重伝送システムでは、長距離伝送かつ高度な伝送品質を確保するため、１波長単位の光レベルが適切になるように、光増幅機能部内の光増幅器や可変光減衰器などの光デバイスをフィードフォワード制御またはフィードバック制御を行うことによって正しく管理している。特に、保守・運用性を高めるために、各機能ブロックによってノード装置またはパッケージに分割されることが多く、パッケージをまたがって光レベルを管理するためにフィードバック制御されることがある。【００１０】
そのためパッケージ間を接続する接続光コードに対して、ファイバマイクロベンディング（ファイバの曲率半径の極端な減少）や、コネクタ端面への異物の付着、またはコネクタの半嵌合によって、光レベルの損失が増加した場合にも、フィードバック制御により管理値であるターゲット光レベルになるように自動的に光増幅器の利得や、可変光減衰器の損失値を変動させることができる。【００１１】
一方、システムの保守の際に、パッケージの交換を実施することがあり、ＤＧＥ機能部の上流装置またはパッケージにおいて、パッケージ間を接続する接続光コードでコネクタの半嵌合状態や半抜去状態(途中までコネクタ抜去した状態)が発生することがあり、その後保守者が半抜去状態に気づき、是正するために再度コネクタを完挿入することが多々ある。【００１２】
また、波長多重伝送システムには、Ｐｏｉｎｔ−ｔｏ−Ｐｏｉｎｔシステムや、光のまま任意波長のみをＡｄｄ／Ｄｒｏｐ／ＴｈｒｏｕｇｈするＯＡＤＭ（Optical Add Drop Multiplexer）によるリングシステムがある。ＯＡＤＭによるリングシステムでは、その構成要素であるＯＡＤＭ装置（以下、ノード装置と呼ぶ）によって、Ｔｈｒｏｕｇｈ設定、Ａｄｄ／Ｄｒｏｐ設定を波長単位に行うため、それぞれの設定が混在して運用されることになる。リング構成の場合は、伝送路や上流のノード装置で障害が発生した場合には、その該当箇所を経由する波長の信号光には障害が発生したとしても、その該当箇所を経由しない波長の信号光には障害が発生してはならない。【００１３】
しかしながら、上流のパッケージ間の半抜去状態のコネクタを再挿入した場合、ＤＧＥ機能部の出力ではＴｈｒｏｕｇｈ設定された波長（Ｔｈｒｏｕｇｈ波長）の信号光のみが瞬間的にレベルが上昇する。一方、Ａｄｄ設定された波長（Ａｄｄ波長）の信号光は、コネクタの再挿入による影響を受けないため、通常の光レベルを維持している。そのため、ＤＧＥ機能部の下流に配置される送信光増幅器では入力されたＡｄｄ波長の信号光とＴｈｒｏｕｇｈ波長の信号光との間に光レベル差が生じ、Ｔｈｒｏｕｇｈ波長が過大入力状態となる。【００１４】
一方、送信光増幅器は、励起レーザダイオードを用いて、信号光を光のまま増幅することができるが、その出力レベルにトータルパワーとして飽和レベル（Ｐｓａｔ＿ｔｈ）があり、それ以上の出力を出すことができない。
そのため、トータルパワーが送信光増幅器に対して過入力状態になると、送信光増幅器では利得飽和が発生し、各波長の利得を一定に保つことができなくなり、短波側光出力レベル（Ａｄｄ波長の信号光の光レベル）の利得が著しく低下する現象が発生する。【００１５】
このような瞬間的な光レベル低下が発生した場合、対向側の信号受信部では、信号品質を維持することができなくなり、情報を損失してしまう。このように、コネクタを再挿入した場合に、障害箇所以外の波長の信号光の信号品質に影響を与えてしまうという課題があった。【００１６】
それに対して、特許文献１に開示される波長多重伝送システムでは、波長多重光を分波した後の各受信部に光レベル調整部を設け、この光レベル調整部により、波長数変動が生じた場合のレベル変動を行わせるように構成されている。
【先行技術文献】
【特許文献】
【００１７】
【特許文献１】特開２００８−２３６０２６号公報
【発明の概要】
【発明が解決しようとする課題】
【００１８】
以上のように、従来の波長多重伝送システムでは、伝送路で発生する障害に関する対策を行いノード装置の入力端で変動レベルを吸収する仕組みが多く、ノード装置内のパッケージ間を接続する接続光コードに対しては、光レベルの損失は変化しないものとして想定されていた。そのため、工事中の保守者の作業ミスによる過渡状態について考慮がなされていないという課題があった。【００１９】
また、特許文献１に開示される従来の波長多重伝送システムでは、ノード装置内に障害が発生した場合に、光増幅器の利得飽和に伴う急峻かつ大きなレベル変動を抑制することができず、信号品質に影響を与えてしまうという課題があった。また、この特許文献１に開示される波長多重伝送システムを実現するには、光レベル調整部で超高速な制御速度で光の減衰、増幅を行う必要があり現実的ではないという課題があった。【００２０】
この発明は、上記のような課題を解決するためになされたもので、システムの保守の際に、ノード装置内の接続光コードに異常が発生した場合においても、障害対象外のサービス波長の信号品質に影響を与えず、安価かつ高信頼なシステムを構築することができるノード装置を提供することを目的としている。
【課題を解決するための手段】
【００２１】
この発明に係るノード装置は、受信した波長多重光を光減衰する光減衰部と、光コードを介して光減衰部から受信した波長多重光を光合分波する光合分波部とを備えたノード装置において、光コードの前段で波長多重光の光レベルを検出する出力レベル検出部と、光コードの後段で波長多重光の光レベルを検出する入力レベル検出部と、出力レベル検出部により検出された光レベルと、入力レベル検出部により検出された光レベルとに基づいて、光コードによる光レベルの損失量の異常判定を行う判定部と、判定部による異常判定結果に基づいて、光合分波部により分波され透過する信号光が光合分波部から下流に送信されない光レベルとなるように、光減衰部の光減衰量を制御する制御部とを備えたものである。
【発明の効果】
【００２２】
この発明によれば、上記のように構成され、光コードの前段で波長多重光の光レベルを検出する出力レベル検出部と、光コードの後段で波長多重光の光レベルを検出する入力レベル検出部と、出力レベル検出部により検出された光レベルと、入力レベル検出部により検出された光レベルとに基づいて、光コードによる光レベルの損失量の異常判定を行う判定部と、判定部による異常判定結果に基づいて、光減衰部の光減衰量を制御する制御部とを備えたことで、急激なレベル増加を送信光増幅部が受けることはないため、Ａｄｄ波長の信号品質を確保できる。また、送信光増幅部の利得飽和レベルを低減することもでき、送信光増幅部で使用する励起ＬＤの出力パワーが低減できるため低コスト化を図ることができる。
【図面の簡単な説明】
【００２３】
【図１】この発明の実施の形態１に係るノード装置の構成を示す図である。
【図２】この発明の実施の形態１における個別チャンネル光レベル等化部の構成を示す図である。
【図３】この発明の実施の形態１におけるＶＯＡ制御回路部の制御状態遷移を説明する図である。
【図４】この発明の実施の形態１に係るノード装置の主動作を示すフローチャートである。
【図５】この発明の実施の形態１に係るノード装置の異常判定動作を示すフローチャートである。
【図６】この発明の実施の形態１に係るノード装置の光レベルダイヤを示す図である。
【図７】この発明の実施の形態１に係るノード装置の正常判定動作を示すフローチャートである。
【図８】この発明の実施の形態２に係るノード装置の構成を示す図である。
【図９】この発明の実施の形態２に係るノード装置の光レベルダイヤを示す図である。
【図１０】この発明の実施の形態３に係るノード装置の構成を示す図である。
【図１１】この発明の実施の形態３におけるＶＯＡ制御回路部の制御状態遷移を説明する図である。
【図１２】この発明の実施の形態３に係るノード装置の光レベルダイヤを示す図である。
【図１３】この発明の実施の形態４に係るノード装置の構成を示す図である。
【図１４】この発明の実施の形態４に係るノード装置の光レベルダイヤを示す図である。
【図１５】この発明の実施の形態５に係るノード装置の構成を示す図である。
【発明を実施するための形態】
【００２４】
以下、この発明の実施の形態について図面を参照しながら詳細に説明する。
実施の形態１．
図１はこの発明の実施の形態１に係るノード装置１の構成を示す図である。なお、波長多重伝送システムは、複数のノード装置１が伝送路を介して接続されるものである。
ノード装置１は、図１に示すように、受信光増幅部２、複数の信号送信部（ＴＸ）３、複数の信号受信部（ＲＸ）４、光合分波部５および送信光増幅部６から構成される。
【００２５】
受信光増幅部２は、伝送路１０１を介して上流のノード装置（不図示）から受信した波長多重光の光レベルに対して、伝送路損失を補償するものである。この受信光増幅部２は、可変光減衰部（ＶＯＡ、光減衰部）２１、受信光増幅機能部（ＲＸＡＭＰ、光増幅部）２２、光分岐カプラ２３、出力レベル検出回路（出力レベル検出部）２４、判定回路（判定部）２５、減衰部制御回路（制御部）２６および増幅部制御回路（制御部）２７から構成される。
【００２６】
可変光減衰部２１は、減衰部制御回路２６による制御に従い、伝送路１０１を介して上流のノード装置から受信した波長多重光を光減衰するものである。この可変光減衰部２１により光減衰された波長多重光は受信光増幅機能部２２に送信される。
【００２７】
受信光増幅機能部２２は、増幅部制御回路２７による制御に従い、可変光減衰部２１により光減衰された波長多重光を光増幅するものである。この受信光増幅機能部２２により光増幅された波長多重光は光分岐カプラ２３に送信される。
【００２８】
光分岐カプラ２３は、受信光増幅機能部２２により光増幅された波長多重光を光分岐するものである。この光分岐カプラ２３により光分岐された一方の波長多重光は接続光コード（光コード）１１を介して光のまま光合分波部５に送出され、もう一方の波長多重光は出力レベル検出回路２４に送信される。
【００２９】
出力レベル検出回路２４は、光分岐カプラ２３により光分岐された波長多重光のトータルの光レベル（絶対値）を周期的に検出して観測するものである。この出力レベル検出回路２４による光レベルの検出結果（Ｐｒｘ＿ｏｕｔ）は判定回路２５に送信される。
【００３０】
判定回路２５は、出力レベル検出回路２４による光レベルの検出結果（Ｐｒｘ＿ｏｕｔ）と光合分波部５の後述する入力レベル検出回路５２による光レベルの検出結果（Ｐａｄｍ＿ｉｎ）とを相対比較することによって、接続光コード１１による光レベルの損失量（Ｌ＝Ｐｒｘ＿ｏｕｔ−Ｐａｄｍ＿ｉｎ）を算出して、この損失量（Ｌ）が異常状態であるかを判定するものである。ここで判定回路２５は、損失量（Ｌ）が異常状態であると判定した場合には、減衰部制御回路２６にその旨を通知（異常判定通知）して、可変光減衰部２１の光減衰量を増加させる。
【００３１】
また、判定回路２５は、損失量（Ｌ）が異常状態であると判定した後に、出力レベル検出回路２４による光レベルの検出結果（Ｐｒｘ＿ｏｕｔ）と入力レベル検出回路５２による光レベルの検出結果（Ｐａｄｍ＿ｉｎ）とを相対比較することによって、接続光コード１１による光レベルの損失量（Ｌ）を算出して、この損失量（Ｌ）が正常状態に復帰したかを判定する。ここで判定回路２５は、損失量（Ｌ）が正常状態に復帰したと判定した場合には、減衰部制御回路２６にその旨を通知（正常判定通知）して、可変光減衰部２１の光減衰量を通常値に戻す。
【００３２】
減衰部制御回路２６は、可変光減衰部２１に受信された波長多重光の伝送路損失に応じて、受信光増幅機能部２２に入力される波長多重光の光レベルが一定になるように可変光減衰部２１の光減衰量を制御するものである。また、減衰部制御回路２６は、判定回路２５から異常判定通知を受信した場合には、自身を固定損失モードに設定して可変光減衰部２１の光減衰量を増加させる。また、減衰部制御回路２６は、判定回路２５から正常判定通知を受信した場合には、自身を通常モードに設定して可変光減衰部２１の光減衰量を通常値に戻す。
【００３３】
増幅部制御回路２７は、受信光増幅機能部２２の光増幅量を制御するものである。この増幅部制御回路２７は、１波長あたりの光レベルを一定にするため、受信光増幅機能部２２のトータル入力レベルとトータル出力レベルの比（利得）が一定になるようにＡＧＣ制御を行う。また、入力レベルに関係なく出力レベルを一定に保つＡＰＣ（Automatic Power Control）制御を行うことも可能であり、制御方式の切り替えを行うことも可能である。
【００３４】
また、信号送信部３は、各波長に割り当てられた信号光を接続光コード１３を介して光のまま光合分波部５に送信するものである。
信号受信部４は、光合分波部５により分波された対応する信号光を接続光コード１４を介して光のまま受信するものである。
【００３５】
光合分波部５は、受信光増幅部２から受信した波長多重光に対して、信号送信部３から受信した信号光を合波（Ａｄｄ）し、または、特定の波長の信号光を分波（Ｄｒｏｐ）して信号受信部４に送信し、または、そのまま透過（Ｔｈｒｏｕｇｈ）させるものである。この光合分波部５は、光分岐カプラ５１、入力レベル検出回路（入力レベル検出部）５２、分波機能部（ＤＥＭＵＸ）５３、複数の個別チャンネル光スイッチ機能部（ＳＷ）５４、複数の個別チャンネル光レベル等化部（ＤＧＥ）５５および合波機能部（ＭＵＸ）５６から構成される。
【００３６】
光分岐カプラ５１は、接続光コード１１を介して受信光増幅部２から受信した波長多重光を光分岐するものである。この光分岐カプラ５１により光分岐された一方の波長多重光は分波機能部５３に送信され、もう一方の波長多重光は入力レベル検出回路５２に送信される。
【００３７】
入力レベル検出回路５２は、光分岐カプラ５１により光分岐された波長多重光のトータルの光レベル（絶対値）を周期的に検出して観測するものである。この入力レベル検出回路５２による光レベルの検出結果（Ｐａｄｍ＿ｉｎ）は、バックボードを介した電気通信や前面電気接続などのパッケージ間通信によって、判定回路２５に送信される。
なお、パッケージ間通信は、通信の正当性を確認するためのパリティチェックやＣＲＣエラーチェック機能を保有しているものとする。
【００３８】
分波機能部５３は、光分岐カプラ５１により光分岐された波長多重光を各波長単位に分波するものである。この分波機能部５３により各波長単位に分波された信号光は、波長毎に対応する個別チャンネル光スイッチ機能部５４に送信される。
【００３９】
個別チャンネル光スイッチ機能部５４は、信号光のＴｈｒｏｕｇｈ／Ｄｒｏｐ／Ａｄｄを選択するものである。ここで、個別チャンネル光スイッチ機能部５４がＴｈｒｏｕｇｈ設定の場合には、分波機能部５３により分波された信号光をそのまま個別チャンネル光レベル等化部５５に送信する。また、個別チャンネル光スイッチ機能部５４がＤｒｏｐ設定の場合には、分波機能部５３により分波された信号光を信号受信部４に接続光コード１４を介して光のまま送信する。また、個別チャンネル光スイッチ機能部５４がＡｄｄ設定の場合には、信号送信部３から接続光コード１３を介して受信した信号光を個別チャンネル光レベル等化部５５に送信する。
【００４０】
個別チャンネル光レベル等化部５５は、個別チャンネル光スイッチ機能部５４から受信した信号光に対して、波長多重伝送システムで決められたターゲット光レベルに一致するように光レベルを自動的に調整するものである。個別チャンネル光レベル等化部５５の詳細については後述する。この個別チャンネル光レベル等化部５５により光レベルが調整された信号光は合波機能部５６に送信される。
【００４１】
合波機能部５６は、複数の個別チャンネル光レベル等化部５５から受信した信号光を再び波長多重化するものである。この合波機能部５６により波長多重化された波長多重光は接続光コード１２を介して光のまま送信光増幅部６に送出される。
【００４２】
送信光増幅部６は、信号光コード１２を介して光合分波部５から受信して伝送路１０２に送信する波長多重光に対して、ノード装置１での損失を補償するものである。この送信光増幅部６は、送信光増幅機能部（ＴＸＡＭＰ）６１および増幅部制御回路６２から構成される。
【００４３】
送信光増幅機能部６１は、増幅部制御回路６２による制御に従い、光合分波部５から受信した波長多重光を光増幅するものである。この送信光増幅機能部６１により光増幅された波長多重光は伝送路１０２を介して下流のノード装置（不図示）に送出される。
【００４４】
増幅部制御回路６２は、送信光増幅機能部６１の光増幅量を制御するものである。この増幅部制御回路６２は、ＡＧＣ制御またはＡＰＣ制御を行うことにより送信光増幅機能部６１の光増幅量を制御する。また、この制御方式の切り替えを行うことも可能である。
【００４５】
次に、個別チャンネル光レベル等化部５５の構成について説明する。図２はこの発明の実施の形態１における個別チャンネル光レベル等化部５５の構成を示す図であり、図３はこの発明の実施の形態１におけるＶＯＡ制御回路部５５４の制御状態遷移を説明する図である。
個別チャンネル光レベル等化部５５は、図２に示すように、可変光減衰部（ＶＯＡ）５５１、光分岐カプラ５５２、光レベル検出部５５３およびＶＯＡ制御回路部（制御部）５５４から構成される。
【００４６】
可変光減衰部５５１は、個別チャンネル光スイッチ機能部５４から受信した信号光の光レベルに対して、ＶＯＡ制御回路部５５４による制御に従い、予め設定されたＣＨ出力ターゲット値（Ｐｔ）となるように調整するものである。この可変光減衰部５５１により光レベルが調整された信号光は光分岐カプラ５５２に送信される。
【００４７】
光分岐カプラ５５２は、可変光減衰部５５１により光レベルが調整された信号光を光分岐するものである。この光分岐カプラ５５２により光分岐された一方の信号光は合波機能部５６に送信され、もう一方の信号光は光レベル検出部５５３に送信される。
【００４８】
光レベル検出部５５３は、光分岐カプラ５５２により光分岐された信号光の光レベル（絶対値）を周期的に検出して観測するものである。この光レベル検出部５５３による光レベルの検出結果（Ｐｃｈ）はＶＯＡ制御回路部５５４に送信される。
【００４９】
ＶＯＡ制御回路部５５４は、光レベル検出部５５３による検出結果（Ｐｃｈ）に基づいて、予め設定したＣＨ出力ターゲット値（Ｐｔ）、シャットダウン検出閾値（Ｐｄ）およびシャットダウン復帰閾値（Ｐｒ）と比較することによって、可変光減衰部５５１の光減衰量を制御するものである。
なお、シャットダウン復帰閾値（Ｐｒ）は、個別チャンネル光スイッチ機能部５４から通常運用時の最小光レベルが入力された場合に、可変光減衰部５５１の固定損失で光減衰した光レベルとなるように設定されている。また、シャットダウン検出閾値（Ｐｄ）は、ＡＬＣ制御モードの際の光レベル低下を検出し、通常運用を行うことができなくなる光レベルとなるように設定される。
【００５０】
ここで、ＶＯＡ制御回路部５５４は、図３に示す制御状態遷移で動作するものとし、光レベル検出部５５３からの光レベル（Ｐｃｈ）とシャットダウン復帰閾値（Ｐｒ）とを比較して、Ｐｃｈ≦Ｐｒの場合には固定損失モードで動作する。この固定損失モードでは、ＶＯＡ制御回路部５５４は、不要な信号光を下流の合波機能部５６に送信しないためにシステムに応じて可変光減衰部５５１の光減衰量を増加させる。
【００５１】
一方、Ｐｃｈ＞Ｐｒの場合にはＡＬＣ（Automatic-Level Control）制御モードで動作する。このＡＬＣ制御モードでは、ＶＯＡ制御回路部５５４は、光レベル（Ｐｃｈ）がＣＨ出力ターゲット値（Ｐｔ）となるように可変光減衰部５５１の光減衰量をＡＬＣ制御する。
【００５２】
また、光レベル（Ｐｃｈ）とシャットダウン検出閾値（Ｐｄ）とを比較して、Ｐｃｈ＜Ｐｄとなった場合には、該当のチャンネル（ＣＨ）の光入力断が発生したと判断して、固定損失モードで動作する。
【００５３】
なお、固定損失モードの損失量によって、シャットダウン検出閾値（Ｐｄ）とシャットダウン復帰閾値（Ｐｒ）は、シャットダウン復帰閾値（Ｐｒ）の方が低くなることがあるが、その場合は、ＡＬＣ制御モードから固定損失モードへの遷移に時間保護を保有する。
【００５４】
次に、上記のように構成されたノード装置１の主動作について説明する。図４はこの発明の実施の形態１に係るノード装置１の主動作を示すフローチャートである。
ノード装置１の主動作は、図４に示すように、まず、受信光増幅部２の可変光減衰部２１は、減衰部制御回路２６による制御に従い、伝送路１０１を介して上流のノード装置から受信した波長多重光を光減衰する（ステップＳＴ４１）。この可変光減衰部２１により光減衰された波長多重光は受信光増幅機能部２２に送信される。
【００５５】
次いで、受信光増幅機能部２２は、増幅部制御回路２７による制御に従い、可変光減衰部２１により光減衰された波長多重光を光増幅する（ステップＳＴ４２）。この受信光増幅機能部２２により光増幅された波長多重光は光分岐カプラ２３、接続光コード１１および光分岐カプラ５１を介して光合分波部５の分波機能部５５に送信される。
【００５６】
次いで、分波機能部５３は、受信光増幅機能部２２から光分岐カプラ２３、接続光コード１１および光分岐カプラ５１を介して受信した波長多重光を各波長単位に分波する（ステップＳＴ４３）。この分波機能部５３により各波長単位に分波された信号光は、波長毎に対応する個別チャンネル光スイッチ機能部５４に送信される。
【００５７】
個別チャンネル光スイッチ機能部５４は、信号光のＴｈｒｏｕｇｈ／Ｄｒｏｐ／Ａｄｄを選択する（ステップＳＴ４４）。ここで、個別チャンネル光スイッチ機能部５４がＴｈｒｏｕｇｈ設定の場合には、分波機能部５３により分波された信号光をそのまま個別チャンネル光レベル等化部５５に送信する。また、個別チャンネル光スイッチ機能部５４がＤｒｏｐ設定の場合には、分波機能部５３により分波された信号光を接続光コード１４を介して信号受信部４に送信する。また、個別チャンネル光スイッチ機能部５４がＡｄｄ設定の場合には、信号送信部３から接続光コード１３を介して受信した信号光を個別チャンネル光レベル等化部５５に送信する。
【００５８】
次いで、個別チャンネル光レベル等化部５５は、個別チャンネル光スイッチ機能部５４から受信した信号光に対して、波長多重伝送システムで決められたターゲット光レベルに一致するように光レベルを自動的に調整する（ステップＳＴ４５）。この個別チャンネル光レベル等化部５５により光レベルが調整された信号光は合波機能部５６に送信される。
【００５９】
次いで、合波機能部５６は、複数の個別チャンネル光レベル等化部５５から受信した信号光を再び波長多重化する（ステップＳＴ４６）。この合波機能部５６により波長多重化された波長多重光は接続光コード１２を介して送信光増幅部６に送出される。
【００６０】
次いで、送信光増幅部６の送信光増幅機能部６１は、増幅部制御回路６２による制御に従い、光合分波部５から受信した波長多重光を光増幅して、伝送路１０２を介して下流のノード装置に送出する（ステップＳＴ４７）。
【００６１】
次に、ノード装置１の異常判定動作について説明する。図５はこの発明の実施の形態１に係るノード装置１の異常判定動作を示すフローチャートである。
ノード装置１の異常判定動作は、図５に示すように、まず、出力レベル検出回路２４は、光分岐カプラ２３により光分岐された波長多重光のトータルの光レベル（受信光増幅部２の出力レベル）を検出する（ステップＳＴ５１）。この出力レベル検出回路２４による光レベルの検出結果（Ｐｒｘ＿ｏｕｔ）は判定回路２５に送信される。
【００６２】
次いで、判定回路２５は、出力レベル検出回路２４による光レベルの検出結果（Ｐｒｘ＿ｏｕｔ）から受信光増幅機能部２２の出力レベルが適正であるか否かを確認する（ステップＳＴ５２）。例えば、受信光増幅機能部２２が励起ＬＤの発光を停止するようなシャットダウンを実施している場合は、受信光増幅機能部２２は光増幅を行うことができず、出力レベルは低下する。この出力レベルが低い場合には、出力レベル検出回路２４と入力レベル検出回路５２による光レベルの検出精度が悪くなり、正しく損失をチェックすることができない。
【００６３】
このステップＳＴ５２において、判定回路２５は、受信光増幅機能部２２の出力レベルが適正ではない（受信光増幅機能部２２が出力停止状態）と判定した場合には、次いで、異常検出カウントｉを０に設定する。その後、シーケンスはステップＳＴ５１に戻る。
【００６４】
一方、ステップＳＴ５２において、判定回路２５が受信光増幅機能部２２の出力レベルが適正であると判定した場合には、次いで、入力レベル検出回路５２は、光分岐カプラ５１により光分岐された波長多重光のトータルの光レベル（光合分波部５の入力レベル）を検出する（ステップＳＴ５３）。この出力レベル検出回路２４による光レベルの検出結果（Ｐａｄｍ＿ｉｎ）は判定回路２５に送信される。
【００６５】
次いで、判定回路２５は、出力レベル検出回路２４による光レベルの検出結果（Ｐｒｘ＿ｏｕｔ）と入力レベル検出回路５２による光レベルの検出結果（Ｐａｄｍ＿ｉｎ）とを相対比較することによって、接続光コード１１による光レベルの損失量（Ｌ）を算出して、予め設定した異常検出閾値（α）と比較する（ステップＳＴ５４）。ここで、異常検出閾値（α）は、送信光増幅機能部６１の最大波長数入力時の通常出力レベルと最大飽和出力レベルとの差の間に設定され、かつ、接続光コード１１の通常時のコネクタ損失（両端で実力値として０．２〜０．４ｄＢ程度）、出力レベル検出回路２４と入力レベル検出回路５２のモニタ誤差を考慮して決定される。
【００６６】
このステップＳＴ５４において、判定回路２５は、損失量（Ｌ）が異常検出閾値（α）未満である場合に正常損失であると判定して、異常検出カウントｉを０に設定する。その後、シーケンスはステップＳＴ５１に戻る。
【００６７】
一方、このステップＳＴ５４において、判定回路２５は、損失量（Ｌ）が異常検出閾値（α）以上である場合に異常損失であると判定して、異常検出カウントｉをインクリメントする（ステップＳＴ５５）。
【００６８】
次いで、判定回路２５は、異常検出カウントｉが予め設定した閾値Ｎであるかを判定することにより、異常損失を連続してＮ回検出したかを判定する（ステップＳＴ５６）。
このステップＳＴ５６において、判定回路２５が異常損失を連続してＮ回検出していないと判定した場合には、シーケンスはステップＳＴ５１に戻る。
一方、ステップＳＴ５６において、判定回路２５は、異常損失を連続してＮ回検出したと判定した場合には、接続光コード１１による光レベルの損失量（Ｌ）が異常状態であると最終判定する（ステップＳＴ５７）。その後、判定回路２５は、その旨を減衰部制御回路２６に通知して、可変光減衰部２１の光減衰量を増加させる。
【００６９】
図６はこの発明の実施の形態１に係るノード装置１内の光レベルダイヤを示す図である。この図６において、実線は１波長あたりの通常時の光レベルダイヤを示し、点線は接続光コード１１で過剰損失が発生した場合の異常時の光レベルダイヤを示している。なお、減衰部制御回路２６が固定損失モードの際の可変光減衰部２１の光減衰量は、個別チャンネル光レベル等化部５５の出力レベルがシャットダウン検出閾値（Ｐｄ）を下回るように予め設定しておく。
図６に示すように、接続光コード１１で過剰損失が発生した場合、可変光減衰部２１の光減衰量を増大させることによって、個別チャンネル光レベル等化部５５の出力レベルがシャットダウン検出閾値（Ｐｄ）を下回るようにすることができる。そのため、ＶＯＡ制御回路部５５４が固定損失モードに遷移して、可変光減衰部５５１の光減衰量を増加させることができる。
【００７０】
この結果として、接続光コード１１に異常が発生した場合、Ｔｈｒｏｕｇｈ波長の信号光の光レベルはシャットダウン検出閾値（Ｐｄ）を上回ることができない。そのため、送信光増幅部６への過入力を抑制することができ、送信光増幅機能部６１の利得飽和発生を回避することができる。
【００７１】
次に、ノード装置１の正常判定動作について説明する。図７はこの発明の実施の形態１に係るノード装置１の正常判定動作を示すフローチャートである。
図７に示すノード装置１の正常判定動作は、図５に示す異常判定動作の異常検出カウントｉを正常検出カウントｊに変更して、ステップＳＴ５４以降の動作を変更したものである。以下、ステップＳＴ７４以降の動作について説明を行う。
【００７２】
ステップＳＴ７４では、判定回路２５は、出力レベル検出回路２４による光レベルの検出結果（Ｐｒｘ＿ｏｕｔ）と入力レベル検出回路５２による光レベルの検出結果（Ｐａｄｍ＿ｉｎ）とを相対比較することによって、接続光コード１１による光レベルの損失量（Ｌ）を算出して、予め設定した異常検出閾値（α）と比較する（ステップＳＴ７４）。
【００７３】
このステップＳＴ７４において、判定回路２５は、光レベルの損失量（Ｌ）が異常検出閾値（α）より大きい場合に異常損失であると判定して、正常検出カウントｊを０に設定する。その後、シーケンスはステップＳＴ７１に戻る。
【００７４】
一方、このステップＳＴ７４において、判定回路２５は、光レベルの損失量（Ｌ）が異常検出閾値（α）未満である場合に正常損失であると判定して、正常検出カウントｊをインクリメントする（ステップＳＴ７５）
【００７５】
次いで、判定回路２５は、正常検出カウントｊが予め設定した閾値Ｍであるかを判定することにより、正常損失を連続してＭ回検出したかを判定する（ステップＳＴ７６）。
このステップＳＴ７６において、判定回路２５は、正常損失を連続してＭ回検出していないと判定した場合には、シーケンスはステップＳＴ７１に戻る。
一方、ステップＳＴ７６において、判定回路２５は、正常損失を連続してＭ回検出したと判定した場合には、接続光コード１１による光レベルの損失量（Ｌ）が正常状態であると最終判定する（ステップＳＴ７７）。次いで、判定回路２５は、その旨を通知して、可変光減衰部２１の光減衰量を通常値に戻す。
【００７６】
これにより図６の実線で示す光レベルダイヤに戻り、Ｔｈｒｏｕｇｈ波長の信号光のサービスを再開する。なお、この遷移の時定数を、個別チャンネル光レベル等化部５５の応答速度よりも十分ゆっくりすることで、個別チャンネル光レベル等化部５５の出力レベルの過渡応答を抑制し、この出力レベルでの過出力を防止することができる。
【００７７】
以上のように、この実施の形態１によれば、接続光コード１１の入出力レベル差から損失量を算出して、接続光コード１１で過剰損失が発生したと判定した場合に、可変光減衰部２１の光減衰量を増大させるように構成したので、システムの保守の際に、ノード装置１内の接続光コード１１に異常が発生した場合においても、急激に光レベルが増加した信号光が送信光増幅部６に送出されることを抑制することができるため、利得飽和を回避して、Ａｄｄ波長の信号品質を確保することができ、安価かつ高信頼なシステムを構築することができる。
【００７８】
実施の形態２．
図８はこの発明の実施の形態２に係るノード装置１の構成を示す図である。図８に示す実施の形態２に係るノード装置１は、図１に示す実施の形態１に係るノード装置１の構成と同様であるが、判定回路２５および増幅部制御回路２７の処理内容が異なる。以下、異なる点についてのみ説明する。
なお、実施の形態２に係るノード装置１の異常判定動作および正常判定動作は、図５，７に示す実施の形態１に係るノード装置１の異常判定動作および正常判定動作と同様であるためその説明を省略する。
【００７９】
判定回路２５は、光レベルの損失量（Ｌ）が異常状態であると判定した場合には、増幅部制御回路２７にその旨を通知（異常判定通知）して、受信光増幅機能部２２の光増幅量を減少させる。また、判定回路２５は、光レベルの損失量（Ｌ）が正常状態に復帰したと判定した場合には、増幅部制御回路２７にその旨を通知（正常判定通知）して、受信光増幅機能部２２の光増幅量を通常値に戻す。
【００８０】
増幅部制御回路２７は、判定回路２５から異常判定通知を受信した場合には、ＡＰＣ制御を行い受信光増幅機能部２２の光増幅量を減少させ、判定回路２５から正常判定通知を受信した場合には、ＡＧＣ制御を行い受信光増幅機能部２２のトータル入力レベルとトータル出力レベルの比（利得）が一定になるように制御して光増幅量を通常値に戻す。
【００８１】
図９はこの発明の実施の形態２に係るノード装置１内の光レベルダイヤを示す図である。この図９において、実線は１波長あたりの通常時の光レベルダイヤを示し、点線は接続光コード１１で過剰損失が発生した場合の異常時のノード装置１内の光レベルダイヤを示している。なお、増幅部制御回路２７がＡＰＣ制御を行っている際の受信光増幅部２２の光増幅量は、個別チャンネル光レベル等化部５５の出力レベルがシャットダウン検出閾値（Ｐｄ）を下回るように予め設定しておく。
図９に示すように、接続光コード１１で過剰損失が発生した場合、受信光増幅部２２の光増幅量を減少させることによって、個別チャンネル光レベル等化部５５の出力レベルがシャットダウン検出閾値（Ｐｄ）を下回るようにすることができる。そのため、ＶＯＡ制御回路部５５４が固定損失モードに遷移して、可変光減衰部５５１の光減衰量を増加させることができる。
【００８２】
以上のように、この実施の形態２によれば、接続光コード１１の入出力レベル差から損失量を算出して、接続光コード１１で過剰損失が発生したと判定した場合に、受信光増幅部２２の光増幅量を減少させるように構成したので、実施の形態１と同様の効果を得ることができ、接続光コード１１の障害発生時、保守作業時においても、Ａｄｄ波長の信号品質に影響を与えることがないシステムを実現することができる。
【００８３】
また、この実施の形態２では、接続光コード１１で過剰損失が発生したと判定した場合に、受信光増幅部２２の光増幅量を減少させるように構成したが、接続光コード１１で過剰損失が発生したと判定した場合に、可変光減衰部２１の光減衰量を増加させ、かつ、受信光増幅量２２の光増幅量を減少させるように構成してもよい。
【００８４】
実施の形態３．
図１０はこの発明の実施の形態３に係るノード装置１を示す図であり、図１１はこの発明の実施の形態３におけるＶＯＡ制御回路部の制御状態遷移を説明する図である。図１０に示す実施の形態３に係るノード装置１は、図１に示す実施の形態１に係るノード装置１の判定回路２５を削除し、判定回路（判定部）５７を追加したものである。その他の構成は同様であり同一の符号を付してその説明を省略する。
なお、実施の形態３に係るノード装置１の異常判定動作および正常判定動作は、図５，７に示す実施の形態１に係るノード装置１の異常判定動作および正常判定動作において、判定回路２５による処理を判定回路５７が行う点以外は同様であるためその説明を省略する。
【００８５】
判定回路５７は、出力レベル検出回路２４による光レベルの検出結果（Ｐｒｘ＿ｏｕｔ）と入力レベル検出回路５２による光レベルの検出結果（Ｐａｄｍ＿ｉｎ）とを相対比較することによって、接続光コード１１による光レベルの損失量（Ｌ＝Ｐｒｘ＿ｏｕｔ−Ｐａｄｍ＿ｉｎ）を算出して、この損失量（Ｌ）が異常状態であるかを判定するものである。ここで判定回路５７は、損失量（Ｌ）が異常状態であると判定した場合には、Ｔｈｏｒｏｕｇｈ波長の信号光が入力される個別チャンネル光レベル等化部５５にその旨を通知（異常判定通知）して、可変光減衰部５５１の光減衰量を増加させる。
【００８６】
また、判定回路５７は、損失量（Ｌ）が異常状態であると判定した後に、出力レベル検出回路２４による光レベルの検出結果（Ｐｒｘ＿ｏｕｔ）と入力レベル検出回路５２による光レベルの検出結果（Ｐａｄｍ＿ｉｎ）とを相対比較することによって、接続光コード１１による光レベルの損失量（Ｌ）を算出して、この損失量（Ｌ）が正常状態に復帰したかを判定する。ここで判定回路５７は、損失量（Ｌ）が正常状態に復帰したと判定した場合には、Ｔｈｏｒｏｕｇｈ波長の信号光が入力される個別チャンネル光レベル等化部５５にその旨を通知（正常判定通知）して、可変減衰部５５１の光減衰量を通常値に戻す。
【００８７】
また、ＶＯＡ制御回路部５５４は、前段の個別チャンネル光スイッチ機能部５４がＴｈｒｏｕｇｈ設定であり、かつ、判定回路５７から異常判定通知を受信した場合には、図１１に示すように、第２の固定損失モードで動作する。この第２の固定損失モードでは、ＶＯＡ制御回路部５５４は、システムに応じて可変光減衰部５５１の光減衰量を増加させる。
【００８８】
一方、ＶＯＡ制御回路部５５４は、前段の個別チャンネル光スイッチ機能部５４がＴｈｒｏｕｇｈ設定であり、かつ、判定回路５７から正常判定通知を受信した場合には、第２の固定損失モードから固定損失モードに遷移する。また、前段の個別チャンネル光スイッチ機能部５４がＴｈｒｏｕｇｈ設定以外のＡｄｄ設定またはＤｒｏｐ設定に遷移した場合にも固定損失モードに遷移する。
【００８９】
図１２はこの発明の実施の形態３に係るノード装置１内の光レベルダイヤを示す図である。この図１２において、実線は１波長あたりの通常時の光レベルダイヤを示し、点線は接続光コード１１で過剰損失が発生した場合の異常時の光レベルダイヤを示している。
図１２に示すように、接続光コード１１で過剰損失が発生した場合、ＶＯＡ制御回路部５５４を第２の固定損失モードに遷移して、可変光減衰部５５１の光減衰量を増加させることができる。
【００９０】
以上のように、この実施の形態３によれば、接続光コード１１の入出力レベル差から損失量を算出して、接続光コード１１で過剰損失が発生したと判定し、かつ、個別チャンネル光機能部５４がＴｈｒｏｕｇｈ設定である場合に、可変光減衰部５５１の光減衰量を増大させて、光合分波部５を分波して透過する信号光のみを光減衰するように構成したので、実施の形態１と同様の効果を得ることができ、接続光コード１１の障害発生時、保守作業時においても、Ａｄｄ波長の信号品質に影響を与えることがないシステムを実現することができる。
【００９１】
実施の形態４．
図１３はこの発明の実施の形態４に係るノード装置１の構成を示す図である。図１３に示す実施の形態４に係るノード装置１は、図１に示す実施の形態１に係るノード装置１の光分岐カプラ２３を光分岐カプラ２８に変更し、反射レベル検出回路（反射レベル検出部）２９を追加し、判定回路２５を判定回路（判定部）３０に変更したものである。その他の構成は同様であり、同一の符号を付してその説明を省略する。
【００９２】
光分岐カプラ２８は、受信光増幅機能部２２により光増幅された波長多重光を光分岐し、受信光増幅部２の出力コネクタ端面からの反射光を光分岐するものである。この光分岐カプラ２３により光分岐された一方の波長多重光は接続光コード１１を介して光合分波部５に送出され、もう一方の波長多重光は出力レベル検出回路２４に送信され、反射光は反射レベル検出回路２９に送信される。
【００９３】
反射レベル検出回路２９は、光分岐カプラ２３により光分岐された反射光のトータルの光レベル（絶対値）を周期的に検出して観測するものである。この反射レベル検出回路２９による光レベルの検出結果（Ｐｒｘ＿ｒｅｆ）は判定回路３０に送信される。
【００９４】
判定回路３０は、出力レベル検出回路２４による光レベルの検出結果（Ｐｒｘ＿ｏｕｔ）と反射レベル検出回路２９による光レベルの検出結果（Ｐｒｘ＿ｒｅｆ）とを相対比較することによって、反射減衰量（Ｄ＝Ｐｒｘ＿ｒｅｆ−Ｐｒｘ＿ｏｕｔ）を算出して、接続光コード１１が半抜去状態または完全抜去状態であるかを判定するものである。ここで判定回路３０は、反射減衰量（Ｄ）が予め設定した閾値を超えた場合には、接続光コード１１が半抜去状態または完全抜去状態であると判定し、減衰部制御回路２６および増幅部制御回路２７にその旨を通知（異常判定通知）して、可変光減衰部２１の光減衰量を増加させ、受信光増幅機能部２２の光増幅量を減少させる。
【００９５】
また、判定回路３０は、接続光コード１１が半抜去状態または完全抜去状態であると判定した後に、出力レベル検出回路２４による光レベルの検出結果（Ｐｒｘ＿ｏｕｔ）と反射レベル検出回路２９による光レベルの検出結果（Ｐｒｘ＿ｒｅｆ）とを相対比較することによって、反射減衰量（Ｄ）を算出して、接続光コード１１が挿入状態であるかを判定する。ここで判定回路３０は、反射減衰量（Ｄ）が予め設定した閾値以下である場合には、接続光コード１１が挿入状態であると判定し、減衰部制御回路２６および増幅部制御回路２７にその旨を通知（正常判定通知）して、可変光減衰部２１の光減衰量および受信光増幅機能部２２の光増幅量を通常値に戻す。
【００９６】
なお、実施の形態４に係るノード装置１の異常判定動作および正常判定動作は、図５，７に示す実施の形態１に係るノード装置１の異常判定動作および正常判定動作において、入力レベル検出回路５２による処理が反射レベル検出回路２９による処理に置き換わり、判定回路２５による処理を判定回路３０が行い、損失量（Ｌ）ではなく反射減衰量（Ｄ）により接続光コード１１の接続状態の異常判定および正常判定を行う点以外は同様であるためその説明を省略する。
【００９７】
また、アプリケーションによっては、光合分波部５の入力レベル検出回路５２の光レベルをフィードバックし、受信光増幅部２の可変光減衰部２１や受信光増幅機能部２２を制御する場合がある。そのような状態で接続光コード１１に障害が発生すると、高エネルギな光パワーが受信光増幅部２から出力される可能性がある。そこで、入力レベル検出回路５２では検出した光レベルが予め設定した閾値を下回った場合には、判定回路３０にその旨（入力レベル低下通知）を通知する。この入力レベル低下通知を受信した判定回路３０は接続光コード１１に障害が発生したと判断して、減衰部制御回路２６と増幅部制御回路２７にその旨を通知し、受信光増幅部２からの出力レベルが不要に高出力化しないように管理している。
【００９８】
図１４はこの発明の実施の形態４に係るノード装置１内の光レベルダイヤを示す図である。この図１４において、実線は１波長あたりの通常時の光レベルダイヤを示し、点線は接続光コード１１で過剰損失が発生した場合の異常時の光レベルダイヤを示している。なお、減衰部制御回路２６が固定損失モードの際の可変光減衰部２１の光減衰量および増幅部制御回路２７がＡＰＣ制御を行っている際の受信光増幅部２２の光増幅量は、個別チャンネル光レベル等化部５５の出力レベルがシャットダウン検出閾値（Ｐｄ）を下回るように予め設定しておく。
図１４に示すように、接続光コード１１で過剰損失が発生した場合、可変光減衰部２１の光減衰量を増大させ、受信光増幅機能部２２の光増幅量を減少させることによって、個別チャンネル光レベル等化部５５の出力レベルがシャットダウン検出閾値（Ｐｄ）を下回るようにすることができる。そのため、ＶＯＡ制御回路部５５４が固定損失モードに遷移して、可変光減衰部５５１の光減衰量を増加させることができる。
【００９９】
以上のように、この実施の形態４によれば、出力コネクタ端面の反射光の光レベルに基づいて反射減衰量を算出して、接続光コード１１で過剰損失が発生したと判定した場合に、可変光減衰部２１の光減衰量を増加させ、受信光増幅部２２の光増幅量を減少させるように構成したので、実施の形態１と同様の効果を得ることができ、接続光コード１１の障害発生時、保守作業時においても、Ａｄｄ波長の信号品質に影響を与えることがないシステムを実現することができる。
【０１００】
実施の形態５．
図１５はこの発明の実施の形態５に係るノード装置１の構成を示す図である。図１５に示す実施の形態５に係るノード装置１は、図１３に示す実施の形態４に係るノード装置１に中間光増幅機能部（光増幅部）３１、光分岐カプラ３２、出力レベル検出回路（出力レベル検出部）３３、反射レベル検出回路（反射レベル検出部）３４、第１判定回路（判定部）３５、増幅部制御回路（制御部）３６を追加し、判定回路３０を第２判定回路（判定部）３７に変更し、さらに、分散補償部（ＤＣＦ：Dispersion Compensation Fiber）７を追加したものである。
【０１０１】
分散補償部７は、接続光コード１５を介して光のまま光分岐カプラ２８から波長多重光を受信し、受信光増幅機能部２２と中間光増幅機能部３１の間で伝送路中の残留分散を補償するものである。この分散補償部７により残留分散が補償された波長多重光は接続光コード１６を介して光のまま中間光増幅機能部３１に送出される。
【０１０２】
中間光増幅機能部３１は、増幅部制御回路３６による制御に従い、分散補償部７から受信した波長多重光を光増幅して、分散補償部７のパッシブなＤＣＦによる光レベルの損失を補償するものである。この中間光増幅機能部３１により光増幅された波長多重光は光分岐カプラ３２に送信される。
【０１０３】
光分岐カプラ３２は、中間光増幅機能部３１により光増幅された波長多重光を光分岐し、受信光増幅部２の出力コネクタ端面の反射光を光分岐するものである。この光分岐カプラ３２により光分岐された一方の波長多重光は接続光コード１１を介して光のまま光合分波部５に送出され、もう一方の波長多重光は出力レベル検出回路３３に送信され、反射光は反射レベル検出回路３４に送信される。
【０１０４】
出力レベル検出回路３３は、光分岐カプラ３２により光分岐された波長多重光のトータルの光レベル（絶対値）を周期的に検出して観測するものである。この出力レベル検出回路３３による光レベルの検出結果（Ｐｒｘ＿ｏｕｔ）は第１判定回路３５に送信される。
【０１０５】
反射レベル検出回路３４は、光分岐カプラ３２により光分岐された反射光のトータルの光レベル（絶対値）を周期的に検出して観測するものである。この反射レベル検出回路３４による光レベルの検出結果（Ｐｒｘ＿ｒｅｆ）は第１判定回路３５に送信される。
【０１０６】
第１判定回路３５は、出力レベル検出回路３３による光レベルの検出結果（Ｐｒｘ＿ｏｕｔ）と反射レベル検出回路３４による光レベルの検出結果（Ｐｒｘ＿ｒｅｆ）とを相対比較することによって、反射減衰量（Ｄ＝Ｐｒｘ＿ｒｅｆ−Ｐｒｘ＿ｏｕｔ）を算出して、接続光コード１１が半抜去状態または完全抜去状態であるかを判定するものである。ここで第１判定回路３５は、反射減衰量（Ｄ）が予め設定した閾値を超えた場合には、接続光コード１１が半抜去状態または完全抜去状態であると判定し、増幅部制御回路３６にその旨を通知（異常判定通知）して、受信光増幅機能部３１の光増幅量を減少させる。また、第１判定回路３５は、異常判定通知を第２判定回路３７に対しても行う。
【０１０７】
また、第１判定回路３５は、接続光コード１１が半抜去状態または完全抜去状態であると判定した後に、出力レベル検出回路３３による光レベルの検出結果（Ｐｒｘ＿ｏｕｔ）と反射レベル検出回路３４による光レベルの検出結果（Ｐｒｘ＿ｒｅｆ）とを相対比較することによって、反射減衰量（Ｄ）を算出して、接続光コード１１が挿入状態であるかを判定する。ここで第１判定回路３５は、反射減衰量（Ｄ）が予め設定した閾値以下である場合には、接続光コード１１が挿入状態であると判定し、増幅部制御回路３６にその旨を通知（正常判定通知）して、受信光増幅機能部３１の光増幅量を通常値に戻す。
【０１０８】
増幅部制御回路３６は、第１判定回路３５から異常判定通知を受信した場合には、ＡＰＣ制御を行い受信光増幅機能部３１の光増幅量を減少させ、第１判定回路３５から正常判定通知を受信した場合には、ＡＧＣ制御を行い受信光増幅機能部３１のトータル入力レベルとトータル出力レベルの比（利得）が一定になるように制御して光増幅量を通常値に戻す。
【０１０９】
第２判定回路３７は、出力レベル検出回路２４による光レベルの検出結果（Ｐｒｘ＿ｏｕｔ）と反射レベル検出回路２９による光レベルの検出結果（Ｐｒｘ＿ｒｅｆ）とを相対比較することによって、反射減衰量（Ｄ＝Ｐｒｘ＿ｒｅｆ−Ｐｒｘ＿ｏｕｔ）を算出して、接続光コード１５（１６）が半抜去状態または完全抜去状態であるかを判定するものである。ここで第２判定回路３７は、反射減衰量（Ｄ）が予め設定した閾値を超えた場合には、接続光コード１５（１６）が半抜去状態または完全抜去状態であると判定し、減衰部制御回路２６および増幅部制御回路２７にその旨を通知（異常判定通知）して、可変光減衰部２１の光減衰量を増加させ、受信光増幅機能部２２の光増幅量を減少させる。
【０１１０】
また、第２判定回路３７は、第１判定回路３５から異常判定通知を受信した場合にも、減衰部制御回路２６および増幅部制御回路２７にその旨を通知（異常判定通知）して、可変光減衰部２１の光減衰量を増加させ、受信光増幅機能部２２の光増幅量を減少させる。
【０１１１】
また、第２判定回路３７は、接続光コード１５が半抜去状態または完全抜去状態であると判定した後に、出力レベル検出回路２４による光レベルの検出結果（Ｐｒｘ＿ｏｕｔ）と反射レベル検出回路２９による光レベルの検出結果（Ｐｒｘ＿ｒｅｆ）とを相対比較することによって、反射減衰量（Ｄ）を算出して、接続光コード１５（１６）が挿入状態であるかを判定する。ここで第２判定回路３７は、反射減衰量（Ｄ）が予め設定した閾値以下である場合には、接続光コード１５（１６）が挿入状態であると判定し、減衰部制御回路２６および増幅部制御回路２７にその旨を通知（正常判定通知）して、可変光減衰部２１の光減衰量および受信光増幅機能部２２の光増幅量を通常値に戻す。
【０１１２】
以上のように、この実施の形態５によれば、受信光増幅部２を、可変光減衰部２１および受信光増幅機能部２２からなる前段光増幅部と、中間光増幅機能部３１からなる後段光増幅部とに分割して、この前段光増幅部と後段光増幅部との間に分散補償部７を設けた場合にも、接続光コード１１間の反射減衰量、接続光コード１５，１６間の反射減衰量を算出して、接続光コード１１で過剰損失が発生したと判定した場合に受信光増幅部３１の光増幅量を減少させ、接続コード１５（１６）で過剰損失が発生したと判定した場合に、可変光減衰部２１の光減衰量を増加させ、受信光増幅部２２の光増幅量を減少させるように構成したので、実施の形態４と同様の効果を得ることができ、接続光コード１１，１５，１６の障害発生時、保守作業時においても、Ａｄｄ波長の信号品質に影響を与えることがないシステムを実現することができる。
【産業上の利用可能性】
【０１１３】
以上のように、この発明に係るノード装置は、システム保守の際に、ノード装置内に障害が発生した場合に光増幅器の利得飽和に伴う急峻かつ大きなレベル変動を抑制し、信号品質に影響を与えないようにするため、光コードの前段で波長多重光の光レベルを検出する出力レベル検出部と、光コードの後段で波長多重光の光レベルを検出する入力レベル検出部と、光コードによる光レベルの損失量の異常判定を行う判定部と、光減衰部の光減衰量を制御する制御部とを備えるように構成したので、ノード装置内の接続光コードに異常が発生した場合においても障害対象外のサービス波長の信号品質に影響を与えず、安価かつ高信頼な波長多重伝送システムを構築することができる。
【符号の説明】
【０１１４】
１  ノード装置、２  受信光増幅部、３  信号送信部、４  信号受信部、５  光合分波部、６  送信光増幅部、７  分散補償部、１１〜１６  接続光コード（光コード）、２１  可変光減衰部（光減衰部）、２２  受信光増幅機能部（光増幅部）、２３，２８，３２  光分岐カプラ、２４，３３  出力レベル検出回路（出力レベル検出部）、２５，３０  判定回路（判定部）、２６  減衰部制御回路（制御部）、２７，３６  増幅部制御回路（制御部）、２９，３４  反射レベル検出回路（反射レベル検出部）、３１  中間光増幅機能部（光増幅部）、３５  第１判定回路（判定部）、３７  第２判定回路（判定部）、５１  光分岐カプラ、５２  入力レベル検出回路（入力レベル検出部）、５３  分波機能部、５４  個別チャンネル光スイッチ機能部、５５  個別チャンネル光レベル等化部、５６  合波機能部、５７  判定回路、６１  送信光増幅機能部、６２  増幅部制御回路、１０１，１０２  伝送路、５５１  可変光減衰部（光減衰部）、５５２  光分岐カプラ、５５３  光レベル検出部、５５４  ＶＯＡ制御回路部（制御部）。
【図１】
0005420068.tif 000002
【図２】
0005420068.tif 000003
【図３】
0005420068.tif 000004
【図４】
0005420068.tif 000005
【図５】
0005420068.tif 000006
【図６】
0005420068.tif 000007
【図７】
0005420068.tif 000008
【図８】
0005420068.tif 000009
【図９】
0005420068.tif 000010
【図１０】
0005420068.tif 000011
【図１１】
0005420068.tif 000012
【図１２】
0005420068.tif 000013
【図１３】
0005420068.tif 000014
【図１４】
0005420068.tif 000015
【図１５】
0005420068.tif 000016